(57)【要約】【課題】コンテンツを再生して得られる音声信号に対し、より好ましい特性となるように周波数特性の調整を行うことができる再生装置を提供する。【解決手段】再生対象とされたコンテンツを再生して得られる音声信号の周波数特性を調整するイコライジング処理を行う再生装置において、前記コンテンツがリリース又は収録された時期を示す時期情報を取得する時期取得手段（ステップ７４）を設け、時期取得手段により取得した時期情報に基づいて周波数特性の調整を行う（ステップ７５）ようにする。時期取得手段は時期情報の取得を、再生対象とされたコンテンツのデータに付随する付加情報に基づいて行うことができる。【選択図】図７
2009077290.tif 000002
【特許請求の範囲】
【請求項１】
再生対象とされたコンテンツを再生して得られる音声信号の周波数特性を調整するイコライジング処理を行う再生装置であって、
前記コンテンツが収録された時期を示す時期情報を取得する時期取得手段を備え、
前記時期取得手段により取得した時期情報に基づいて前記周波数特性の調整を行うことを特徴とする再生装置。
【請求項２】
再生対象とされたコンテンツが属するジャンルを示すジャンル情報を取得するジャンル取得手段を備え、
前記ジャンル取得手段により取得したジャンル情報に基づいて前記周波数特性の調整を行うことを特徴とする請求項１に記載の再生装置。
【請求項３】
再生対象とされ得るコンテンツが収録された時期を所定の時期区分に区分した時期区分テーブルと、
再生対象とされ得るコンテンツのジャンルを所定のジャンル区分に区分したジャンル区分テーブルと、
前記ジャンル区分テーブルにおける各ジャンル区分及び前記時期区分テーブルにおける各時期区分の各組合せに対応するイコライザパターンを規定したパターン規定テーブルとを備え、
前記時期取得手段により取得した時期情報及び前記ジャンル取得手段により取得したジャンル情報並びに前記時期区分テーブル、ジャンル区分テーブル及びパターン規定テーブルに基づき、前記周波数特性の調整に適用するイコライザパターンを決定することを特徴とする請求項２に記載の再生装置。
【請求項４】
再生対象とされたコンテンツについての前記時期取得手段により取得した時期情報が示す時期が所定の古い時期である場合、該コンテンツについて、該時期情報が示す時期が所定の新しい時期である場合に適用されるイコライザパターンに比べ、所定の低音域又は高音域のレベルを所定量だけ高めるようなイコライザパターンを適用して前記周波数特性の調整を行うことを特徴とする請求項１〜３のいずれか１項に記載の再生装置。
【請求項５】
前記時期取得手段は、前記時期情報の取得を、再生対象とされたコンテンツのデータに付随する付加情報に基づいて行うものであることを特徴とする請求項１〜４のいずれか１項に記載の再生装置。
【請求項６】
再生対象とされたコンテンツを再生して得られる音声信号の周波数特性を調整するイコライジング処理を行う再生装置におけるイコライジング方法であって、
再生装置が、前記コンテンツが収録された時期を示す時期情報を取得する時期取得工程と、
前記再生装置が、前記時期取得工程により取得した時期情報に基づいて前記音声信号の周波数特性の調整を行う調整工程とを具備することを特徴とするイコライジング方法。
【発明の詳細な説明】
【技術分野】
【０００１】
本発明は、コンテンツを再生して得られる音声信号の周波数特性を調整する再生装置、及び該装置におけるイコライジング方法に関する。
【背景技術】
【０００２】
従来、楽音再生装置等において用いられているイコライザとして、予めプリセットされた特性となるように周波数特性を変更するプリセットイコライザが知られている。このイコライザにおいては、再生する楽曲に応じてプリセット値を変更したい場合には、現状では所望のプリセット値をメニューから選択したり、所定のボタンを押下して所望のプリセット値を指定したりすることにより、プリセット値の変更を行うことができるようになっている。
【０００３】
また、イコライザの各プリセット値を楽曲の各ジャンルに予め対応させておき、楽曲の再生に際しては、再生する楽曲のジャンルに対応するプリセット値を用いるようにしたイコライザも知られている（たとえば、特許文献１参照）。このイコライザにおいては、再生する楽曲が記録されたディスクのタグ情報に基づいてその楽曲のジャンルを取得し、そのジャンルに対応するプリセット値を、その楽曲の音声信号に対して適用するようにしている。
【０００４】
なお、楽曲のジャンルに関する情報は、楽曲がＭＰ３形式やＷＭＡ形式のファイルとして記録されている場合には、そのファイルに付随するＩＤ３タグやＷＭＡタグに基づいて取得することができる。
【０００５】
【特許文献１】特開平９−１７１６６４号公報
【発明の開示】
【発明が解決しようとする課題】
【０００６】
しかしながら、上述の手動でプリセット値を選択するイコライザによれば、再生する楽曲が変わるたびにメニューやボタンによるプリセット値の選択操作を繰り返す必要が生じる場合もあり、そのような操作は煩わしいものとなる。このような操作は、車載機器におけるイコライザの場合には、安全運転の観点からも好ましいものではない。
【０００７】
また、上述の楽曲ジャンルに対応するプリセット値を適用する技術によれば、ジャンルが同一であっても各楽曲のデータによる音質特性は種々異なるので、ジャンルが同じ楽曲に対して同一のプリセット値を一律に適用するのは無理がある。再生する楽曲のジャンルに対応付けられたプリセット値がその楽曲データに適している場合もあれば、適していない場合もある。
【０００８】
本発明の目的は、このような従来技術の問題点に鑑み、コンテンツを再生して得られる音声信号に対し、より好ましい特性となるように周波数特性の調整を行うことができる再生装置を提供することにある。
【課題を解決するための手段】
【０００９】
この目的を達成するため、第１の発明に係る再生装置は、再生対象とされたコンテンツを再生して得られる音声信号の周波数特性を調整するイコライジング処理を行う再生装置であって、前記コンテンツが収録された時期を示す時期情報を取得する時期取得手段を備え、前記時期取得手段により取得した時期情報に基づいて前記音声信号の周波数特性の調整を行うことを特徴とする。
【００１０】
ここで、コンテンツとしては、たとえば楽曲コンテンツや映像コンテンツが該当する。コンテンツの再生は、たとえば、そのコンテンツのデータが記録されたファイルやＣＤ、ＤＶＤ等に基づいて行うことができる。音声信号としては、再生装置が組み込まれた装置内でコンテンツを再生して得られるものに限らず、他の装置で再生され、有線や無線の通信手段や放送手段を介して伝送されてくるものであってもよい。コンテンツのデータが記録されたファイルとしては、たとえば、ＭＰ３やＷＭＡ形式の楽曲ファイルや、ＭＰＥＧ形式の映像コンテンツのファイルが該当する。
【００１１】
コンテンツの収録とは、ここでは、コンテンツを構成する楽曲の音声信号や映像信号を記録媒体上にデータとして固定することを意味する。時期情報としては、たとえば、コンテンツが記録されたＭＰ３ファイルのＩＤ３タグにおけるリリース年情報が該当する。ユーザが入力したものや、ＣＤＤＢ（ＣＤデータベース）等から取得したものであってもよい。時期取得手段としては、たとえば、再生対象とされたコンテンツを記録したファイルに付随するタグ情報やメタデータから時期情報を取得するものや、コンテンツの再生時間や再生データを利用してＣＤＤＢ等から時期情報を取得するものが該当する。
【００１２】
この構成において、再生対象とされたコンテンツを再生して得られる音声信号の周波数特性を調整するに際し、再生装置は、時期情報取得手段により、該コンテンツが収録された時期を示す時期情報を取得する。そして、取得した時期情報に基づいて前記音声信号の周波数特性の調整を行う。したがって、再生装置は、たとえば取得した時期情報が示す時期に応じた適切なイコライジングを行うことができる。
【００１３】
第２の発明に係る再生装置は、第１発明において、再生対象とされたコンテンツが属するジャンルを示すジャンル情報を取得するジャンル取得手段を備え、前記ジャンル取得手段により取得したジャンル情報に基づいて前記周波数特性の調整を行うことを特徴とする。
【００１４】
第３の発明に係る再生装置は、第２発明において、再生対象とされ得るコンテンツの収録された時期を所定の時期区分に区分した時期区分テーブルと、再生対象とされ得るコンテンツのジャンルを所定のジャンル区分に区分したジャンル区分テーブルと、前記ジャンル区分テーブルにおける各ジャンル区分及び前記時期区分テーブルにおける各時期区分の各組合せに対応するイコライザパターンを規定したパターン規定テーブルとを備え、前記時期取得手段により取得した時期情報及び前記ジャンル取得手段により取得したジャンル情報並びに前記時期区分テーブル、ジャンル区分テーブル及びパターン規定テーブルに基づき、前記周波数特性の調整に適用するイコライザパターンを決定することを特徴とする。
【００１５】
第４の発明に係る再生装置は、第１〜第３のいずれかの発明において、再生対象とされたコンテンツについての前記時期取得手段により取得した時期情報が示す時期が所定の古い時期である場合、該コンテンツについて、該時期情報が示す時期が所定の新しい時期である場合に適用されるイコライザパターンに比べ、所定の低音域又は高音域のレベルを所定量だけ高めるようなイコライザパターンを適用して前記周波数特性の調整を行うことを特徴とする。
【００１６】
第５の発明に係る再生装置は、第１〜第４のいずれかの発明において、前記時期取得手段は、前記時期情報の取得を、再生対象とされたコンテンツのデータに付随する付加情報に基づいて行うものであることを特徴とする。
【００１７】
第６の発明に係るイコライジング方法は、再生対象とされたコンテンツを再生して得られる音声信号の周波数特性を調整するイコライジング処理を行う再生装置におけるイコライジング方法であって、再生装置が、前記コンテンツが収録された時期を示す時期情報を取得する時期取得工程と、再生装置が、前記時期取得工程により取得した時期情報に基づいて前記音声信号の周波数特性の調整を行う調整工程とを具備することを特徴とする。
【発明の効果】
【００１８】
本発明によれば、再生対象とされたコンテンツが収録された時期を示す時期情報を取得し、これに基づいて、該コンテンツを再生して得られる音声信号の周波数特性の調整を行うようにしたため、より好ましい周波数特性となるように、周波数特性の調整を行うことができる。
【発明を実施するための最良の形態】
【００１９】
図１は本発明の一実施形態に係る再生装置の構成を示すブロック図である。同図に示すように、この装置は、装置各部の制御やイコライジング等の各種処理を行う処理部１１、処理部１１によってアクセスされる記憶部１２、処理部１１の制御により各種情報の表示を行う表示部１３、及び処理部１１に対してユーザが操作入力を行うための操作部１４、処理部１１からの音声信号を音声に変換して出力する音声出力部１５を備える。
【００２０】
記憶部１２は、ハードディスクやフラッシュメモリを用いて構成される。記憶部１２には、楽曲の再生に用いられるＭＰ３や、ＷＭＡ、ＷＡＶ等の形式の楽曲ファイルが格納される。処理部１１は所定のプログラムに従い、操作部１４及び表示部１３によるユーザインタフェース機能により記憶部１２中の楽曲ファイルの選択を受け入れ、選択された楽曲ファイルについての再生や、再生された音声信号についてのイコライジングを行う。
【００２１】
ＭＰ３やＷＭＡ等の圧縮音声データには、タグという音声とは異なる情報エリアが存在し、そこには「ｇｅｎｒｅ」（ジャンル）というエリアが設けられている。このエリアには「Ｒｃｃｋ、Ｐｏｐｓ、Ｈｉｐｈｏｐ、Ｊａｚｚ、Ｃｌａｓｓｉｃ、・・・」といった標準的なジャンルを記録することができるようになっている。また、「リリース年」というエリアも存在し、それが付随する楽曲のＣＤがリリースされた年を記録することができるようになっている。
【００２２】
このようなタグ情報は、ＣＤＤＢ等を利用することにより取得することもできる。その際、上述のジャンル及びリリース年の情報も、タグ情報中に自動的に付加することができる。本実施形態では、このジャンル情報及びリリース年情報に基づいてイコライザパターン（以下、「ＥＱパターン」という。）が決定され、そのＥＱパターンによりイコライジングを行うことによって周波数特性の調整が行われる。
【００２３】
図２はＭＰ３ファイルにおけるＩＤ３タグのバージョン１．０及びバージョン１．１のフォーマットを示す。いずれのバージョンにおいても、最初の３バイトには、タグ情報であることを識別するための固定値が格納される。次の３０バイトにはファイル名、次の３０バイトにはアーティスト名、次の３０バイトにはアルバム名、そして次の４バイトにはリリース年が格納される。その次から最後までのフィールドはバージョン１．０と１．１とで異なっており、バージョン１．０では最後までの３０バイト全部がコメント用のフィールドとなっている。バージョン１．１では２８バイトがコメント用のフィールドであるが、次の２バイトにはトラック番号、最後の１バイトにはジャンル情報が格納される。
【００２４】
図３は処理部１１が保持するジャンル区分テーブルを示す。このテーブルは、ＭＰ３ファイルのＩＤ３タグ等において記録される楽曲のジャンル情報を、「Ｒｏｃｋ」、「Ｂｅａｔ」、「Ｐｏｐｓ」、「Ｒ＆Ｂ」、「Ｊａｚｚ」、「Ｃｌａｓｓｉｃ」、及び「Ｏｔｈｅｒｓ」の７つのジャンル区分に区分し、各ジャンル区分に属する「Ｃｌａｓｓｉｃ−Ｒｏｃｋ」、「Ｈａｒｄ  Ｒｏｃｋ」等のジャンルを規定したものである。これらのジャンル区分には、順に１〜７の番号が対応付けられている。
【００２５】
図４は処理部１１が保持するリリース時期区分テーブルを示す。このテーブルは、ＭＰ３ファイルのＩＤ３タグ等におけるリリース年情報を、「Ｏｌｄ」、「Ｍｉｄｄｌｅ」、「Ｎｅｗ」、及び「Ｏｔｈｅｒ」の４つのリリース時期区分に区分し、各リリース時期区分に属するリリース年を規定したものである。これらのリリース時期区分には、順に１〜４の番号が対応付けられている。リリース時期区分「Ｏｌｄ」には１９６９年以前のリリース年が属する。「Ｍｉｄｄｌｅ」には１９７０年から１９８６年までのリリース年が属する。そして、「Ｎｅｗ」には１９８７年以降のリリース年が属する。ＩＤ３タグ等においてリリース年の記録がない場合には、「Ｏｔｈｅｒｓ」に区分される。
【００２６】
図５は処理部１１が保持するＥＱパターン規定テーブルである。このテーブルは、図４のリリース時期区分テーブルにおける各リリース時期区分及び図３のジャンル区分テーブルにおける各ジャンル区分の各組合せに対して対応するＥＱパターンを規定するものである。「ジャンル区分」の欄にはジャンル区分テーブルにおける各ジャンル区分の番号１〜７が順に格納される。「リリース時期区分」の欄では、「ジャンル区分」欄の各番号に対して、リリース時期区分テーブルにおける各リリース時期区分の番号１〜４が対応付けられている。「ＥＱパターン」の欄では、「ジャンル区分」欄の各番号及び「リリース時期区分」欄の各番号により示されるジャンル区分及びリリース時期区分の各組合せに対応するＥＱパターンが規定される。
【００２７】
図６は再生対象とされたＭＰ３ファイルに対応するＥＱパターンの例を示す。同図（ａ）では、当該ＭＰ３ファイルのＩＤ３タグにおけるジャンル情報が「Ｒｏｃｋ」であり、リリース年情報が「２００５」である場合には、ＥＱパターン「１３（Ｒｏｃｋ−３）」が対応する旨が示されている。すなわち、ＩＤ３タグにおけるジャンル「Ｒｏｃｋ」はジャンル区分テーブルにおけるジャンル区分「Ｒｏｃｋ」（番号１）に属し、リリース年「２００５」はリリース時期区分テーブルにおけるリリース時期区分「Ｎｅｗ」（番号３）に属するので、ＥＱパターン規定テーブルにより、対応するＥＱパターンは「１３（Ｒｏｃｋ−３）」となる。同様に、図６（ｂ）では、再生対象とされたＭＰ３ファイルのＩＤ３タグにおけるジャンル情報が「Ｊａｚｚ」で、リリース年情報が「１９６５」である場合には、ＥＱパターン「５１（Ｊａｚｚ−１）」が対応する旨が示されている。
【００２８】
図７は制御部１１による再生開始処理を示すフローチャートである。まず、ステップ７１において、再生対象ファイルが発生するのを待機する。再生対象ファイルが発生した場合としては、たとえば、再生対象ファイルがユーザによって選択され、再生指示がなされた場合や、複数のファイルについて再生指示がなされ、そのうちのいずかについて再生が完了し、次にそのうちの別のファイルについて再生すべき場合が該当する。
【００２９】
ステップ７１において再生対象ファイルの発生を確認すると、ステップ７２へ進み、自動イコライザモードがオンとなっているかどうかを判定する。自動イコライザモードがオンとなっている場合とは、操作部１４の操作により同モードをオンとする設定がなされている場合である。同モードがオンとはなっていないと判定した場合には、ステップ７３へ進み、ユーザが予め所望のＥＱパターンを設定している場合にはそのＥＱパターンによるイコライジングを行いながら、設定していない場合にはイコライジングを行うことなく、再生対象ファイルについての再生を開始する。その後、図７の処理を終了する。
【００３０】
一方、ステップ７２において自動イコライザモードがオンとなっていると判定した場合には、ステップ７４へ進み、再生対象ファイルのタグ情報に基づき、ジャンル情報及びリリース年情報を取得する。さらにステップ７５において、取得したジャンル情報及びリリース年情報、並びに図３のジャンル区分テーブル、図４のリリース時期区分テーブル、及び図５のＥＱパターン規定テーブルに基づき、適用すべきＥＱパターンを上述図６の例のようにして決定する。そして、ステップ７６において、決定したＥＱパターンによりイコライジングを行いながら、再生対象ファイルの再生を開始する。その後、図７の処理を終了する。
【００３１】
図８は図７の処理によって適用されるＥＱパターンの特性を例示する。同図（ａ）では再生対象ファイルのタグ情報におけるジャンルが「Ｒｏｃｋ」で同一であり、リリース年が「２００５」（２００５年）及び「１９６５」（１９６５年）である各場合についての例が示されている。図中の曲線８１はリリース年が「２００５」のファイルを再生して得られる音声信号の周波数特性であり、曲線８２はリリース年が「１９６５」のファイルを再生して得られる音声信号の周波数特性である。
【００３２】
適用されるＥＱパターンは、リリース年が「２００５」の場合には、上述のステップ７５により、「１３（Ｒｏｃｋ−３）」に決定され、リリース年が「１９６５」の場合には「１１（Ｒｏｃｋ−１）」とされる。ＥＱパターン「１３（Ｒｏｃｋ−３）」の特性は、補正量が、中心周波数１００[Ｈｚ]の帯域において＋１[ｄＢ]、１[ｋＨｚ]の帯域において０[ｄＢ]、１０[ｋＨｚ]の帯域において＋１[ｄＢ]となっている。ＥＱパターン「１１（Ｒｏｃｋ−１）」の特性は、補正量が、中心周波数が１００[Ｈｚ]の帯域において＋３[ｄＢ]、１[ｋＨｚ]の帯域において＋１[ｄＢ]、１０[ｋＨｚ]の帯域において＋３[ｄＢ]となっている。
【００３３】
すなわち、曲線８２の特性に対して適用されるＥＱパターン「１３（Ｒｏｃｋ−３）」による強調の度合いが、曲線８１の特性に対して適用されるＥＱパターン「１１（Ｒｏｃｋ−１）」による強調の度合いよりも高く、かつ中心周波数１[ｋＨｚ]の帯域よりも、中心周波数１００[Ｈｚ]及び１０[ｋＨｚ]の帯域においてより一層高くなっている。したがって、これらのＥＱパターンの適用により、コンテンツのリリース年が古い曲線８２の特性は、リリース年が新しい曲線８１の特性に対して近づくことがわかる。すなわち新しいコンテンツに適用されるＥＱパターン「１３（Ｒｏｃｋ−３）」よりも低域及び高域をより強調したＥＱパターン「１１（Ｒｏｃｋ−１）」を古いコンテンツに対して適用することにより、新しいコンテンツに対してＥＱパターン「１３（Ｒｏｃｋ−３）」を適用した場合と同様の聴感上の特性を得ることができることがわかる。
【００３４】
図８（ｂ）では再生対象ファイルのタグ情報におけるジャンルが「Ｐｏｐｓ」で同一であり、リリース年が「２００５」（２００５年）及び「１９６５」（１９６５年）である各場合についての例が示されている。図中の曲線８３はリリース年が「２００５」のファイルを再生して得られる音声信号の周波数特性であり、曲線８４はリリース年が「１９６５」のファイルを再生して得られる音声信号の周波数特性である。
【００３５】
適用されるＥＱパターンは、リリース年が「２００５」の場合には、上述のステップ７５により、「３３（Ｐｏｐｓ−３）」に決定され、リリース年が「１９６５」の場合には「３１（Ｐｏｐｓ−１）」とされる。ＥＱパターン「３３（Ｐｏｐｓ−３）」の特性は、補正量が、中心周波数１００[Ｈｚ]の帯域において０[ｄＢ]、１[ｋＨｚ]の帯域において＋２[ｄＢ]、１０[ｋＨｚ]の帯域において＋１[ｄＢ]となっている。ＥＱパターン「３１（Ｐｏｐｓ−１）」の特性は、補正量が、中心周波数が１００[Ｈｚ]の帯域ににおいて＋２[ｄＢ]、１[ｋＨｚ]の帯域において＋３[ｄＢ]、１０[ｋＨｚ]の帯域において＋３[ｄＢ]となっている。
【００３６】
この場合も、曲線８３の特性に対して適用されるＥＱパターン「３３（Ｐｏｐｓ−３）」による強調の度合いは、曲線８４の特性に対して適用されるＥＱパターン「３１（Ｐｏｐｓ−１）」による強調の度合いよりも高く、かつ中心周波数１００[Ｈｚ]及び１０[ｋＨｚ]の帯域において、中心周波数１[ｋＨｚ]の帯域よりも一層強調の度合いが高くなる。したがってこの場合も、新しいコンテンツに適用されるＥＱパターン「３３（Ｐｏｐｓ−３）」よりも低域及び高域をより強調したＥＱパターン「３１（Ｐｏｐｓ−１）」を古いコンテンツに対して適用することにより、新しいコンテンツに対してＥＱパターン「３３（Ｐｏｐｓ−３）」を適用した場合と同様の聴感上の特性を得ることができる。
【００３７】
すなわち、音楽（楽曲）はそのジャンルだけではなく、そのデータの収録に用いられたマイク、録音卓、録音機等の装置やその楽曲を要望する大衆の音の好み等によって、そのオーディオ特性は大きく変化する。そして、装置や音の好みは年代によって大きく進歩し変化していることは周知の事実である。たとえばＣＤの音質特性は年代とともに変わっている。近年リリースされた楽曲ほど、周波数特性が優れており、ダイナミックレンジが広い等の特徴を有する。言い換えれば、同じジャンルの楽曲であっても、リリース年や収録時期によって音は大きく異なるということである。このような音源の時期的な変化が存在するため、従来のようにコンテンツのジャンルによってＥＱパターンを制御するのみでは良好なＥＱ効果を得るには不十分である。そこで、本実施形態においては、かかる音源の変化の大きな要因となっているリリース年をも加味してＥＱパターンを決定することにより、ユーザが希望する音色に近づけることを可能にしている。
【００３８】
本実施形態によれば、再生楽曲に対して適用するＥＱパターンを自動的に決定して再生を行うようにしたため、手動でＥＱパターンの設定を行う煩わしさを排除することができる。また、再生装置が車載用のものである場合には、ＥＱパターンの手動による設定のために車両の安全な運行を妨げることもない。また、ＥＱパターンの決定に際し、楽曲ファイルのタグ情報におけるジャンル情報に加え、リリース年情報をも考慮して決定を行うようにしたため、よりユーザの好む音色となるようなＥＱパターンを適用してイコライジングを行うことができる。
【００３９】
なお、本発明は上述実施形態に限定されることなく、適宜変形して実施することができる。たとえば、上述においては自動イコライザモードがオンとなっている場合に、リリース年を考慮したＥＱパターンを適用するようにしているが、ユーザが手動で所望のＥＱパターンを選択している場合にも、リリース年を考慮してそのＥＱパターンを変化させるようにしてもよい。
【００４０】
また、上述においては言及しなかったが、図３〜図５のテーブルは、それらを格納するための専用のメモリバンクを用意し、そこに格納するようにしてもよい。
【００４１】
また、上述においては再生しようとする楽曲ファイルのタグ情報におけるジャンル情報及びリリース年情報に基づき、図３〜図５のテーブルを参照してＥＱパターンを決定するようにしているが、この代わりに、楽曲ファイルのタグ情報におけるコメント情報としてその楽曲ファイルの再生に適したＥＱパターンを記録しておき、再生に際してはそのＥＱパターンを用いて再生を行うようにしてもよい。
【００４２】
また、楽曲ファイルのタグ情報中にジャンルやリリース年の記録がない場合には、ＣＤＤＢ（ＣＤデータベース）等を利用してそれらの情報を取得し、あるいはそれらの情報を当該楽曲のタグ情報中に自動で付加し、それらの情報に基づいてＥＱパターンを決定するようにしてもよい。
【図面の簡単な説明】
【００４３】
【図１】本発明の一実施形態に係る再生装置の構成を示すブロック図である。
【図２】ＭＰ３ファイルにおけるＩＤ３タグのフォーマットを示す図である。
【図３】図１の装置におけるジャンル区分テーブルを示す図である。
【図４】図１の装置におけるリリース時期区分テーブルを示す図である。
【図５】図１の装置におけるＥＱパターン規定テーブルを示す図である。
【図６】図１の装置において再生対象とされたＭＰ３ファイルに対応するＥＱパターンの例を示す図である。
【図７】図１の装置における再生開始処理を示すフローチャートである。
【図８】図１の装置において適用されるＥＱパターンの特性を例示する図である。
【符号の説明】
【００４４】
１１：処理部、１２：記憶部、１３：表示部、１４：操作部、１５：音声出力部、８１〜８４：周波数特性を表す曲線。
【図１】
2009077290.tif 000003
【図６】
2009077290.tif 000004
【図２】
2009077290.tif 000005
【図３】
2009077290.tif 000006
【図４】
2009077290.tif 000007
【図５】
2009077290.tif 000008
【図７】
2009077290.tif 000009
【図８】
2009077290.tif 000010